(57)【要約】【課題】  従来、通水性濾過性を有したシート材料に、あらかじめ防水加工をした厚紙等で支持体を設けシート材料の周囲に端部をのこし貼着し、支持体の中央部で左右に貫通した折り目から全体を二つ折りにして、シート材料の左右端部と下方の端部の三辺を一体にして閉じて中にコーヒー粉を充填している製袋方式のコーヒーバッグでは、濾過袋形より支持体の面積が小さくカップ上に濾過袋を高く位置させ濾過袋の下部をカップ内の場面に接する事なく支持する事は容易ではなかった。【解決手段】  そのため、シート材料を二つ折りにした正面側と背面側に折り目部を介して一体の支持体を配置させ、折り目部の中央に濾過袋の上方口を設け、この上方口の左右側方と正面側と背面側の四辺側の支持体を、折り目部を伸ばし上方口を平たく形成した時、下方向に折り下げ支持辺としてカップ口部を、この四辺の支持辺で前後左右から濾過袋を支え安定して高く位置させカップ内の湯面に濾過袋の下部が浸らない様にしてドリップ性の高いコーヒーバッグとしている。【選択図】図５
2009028490.tif 000002
【特許請求の範囲】
【請求項１】
通水性濾過性を有するシート材料に、防水加工をした厚紙等の支持体をシート材料の周囲に端部をのこして一体に貼着しており、支持体は中央部に左右に貫通した折り曲げ部を有し、この折り曲げ部の中央に上方口を設け、この上方口の左右側壁部と上下側壁部を折り曲げ支持辺とするための折り目を上方口の左右側部と上下側部にそれぞれ設けている、この左右と上下に各設けた四辺の支持辺は、それぞれ先端部において中央部にカップの口部の内壁面をとらえる支持凸部を有し、この左右両側にカップ口部の上端をとらえる係止凹部を設けており、さらにその左右端部にカップ口部の外壁をとらえる外ガードを有している、さらに上方口の左右前後に設けた各支持辺の側部どうしの間を折り込み支持辺の四辺で箱型を形成するために、各支持辺の側部どうしの間に折り曲げ部を設けている、この支持体とシート材料の貼着部は、上方口の周囲部と、支持辺では、支持凸部や係止凹部さらに外ガード部をのこし一体に貼着しており、左右側の支持辺は、上方口側を低辺とする三角形型の貼着部としている、シート材料には支持体の上方口の形状にミシン目を設けて濾過袋の口部としている、この支持体の中央部に設けた左右に貫通した折り曲げ部から全体を二つ折りにして、シート材料の左右側端部と下端部の三辺を一体にし閉じて中にコーヒー粉を充填している、以上の構成によりなることを特徴としたドリップ抽出バッグ。
【請求項２】
カップの口部上に、濾過袋を前後左右方向に安定して支えるために、支持辺の先端部にカップ口部の内壁をとらえる支持凸部を中央部に設け、その左右両側部にカップ口の上端をとらえる係止凹部を有し、さらにその外側の端部に外ガードを有してなる支持辺を濾過袋の前後左右に設け四辺の支持辺で構え支えていることを特徴とした請求項１記載のドリップ抽出バッグ。
【請求項３】
支持辺の変形や折れ曲がりを防ぎ支持力を高めるために、支持辺の側部どうしを連結し一体にしていることを特徴とした請求項１記載のドリップ抽出バッグ。
【請求項４】
前後左右の支持辺が、側部どうしが連結し一体であってもカップ口部の口径の大小により支持辺の開き角度が変化できる様にするために、支持辺の側部間に折り込み部を設けていることを特徴とした請求項１記載のドリップ抽出バッグ。
【請求項５】
カップ口径の大小により、カップ口部をとらえる支持辺の開き角度が変化しても、係止凹部が常にカップ口部の上端をとらえらるために、広巾の係止凹部としていることを特徴とした請求項１記載のドリップ抽出バッグ。
【請求項６】
支持辺８は濾過袋１７の外壁面に貼着部１９で貼着されており、折り曲げ部３を伸ばし上板部１８を形成したとき、前後側の二辺の支持辺８の間に、支持辺６の側部を折り込み支持辺６を固定するために、支持辺６の側部に外折り曲げ部１２と内折り曲げ部１３で構成した、折り込み部を設けていることを特徴とした請求項１記載のドリップ抽出バッグ。
【発明の詳細な説明】
【技術分野】
【０００１】  本発明は飲用容器にセットして使用する、レギュラーコーヒー等の使い捨てタイプのドリップ式抽出バッグであり、通水性濾過性を有したシート材料により構成した上方に開口部を有した濾過袋を有し、この濾過袋に防水加工をした厚紙等の部材で支持体を構成し取り付け設けて、カップ等の飲用容器の口部上に支持体を定置させ濾過袋を支持し、濾過袋内のコーヒー粉にお湯を注ぎ入れ抽出ドリップする。
【背景技術】
【０００２】  通水性濾過性を有するシート材料で濾過袋を構成する時、あらかじめこのシート材料に防水加工をした厚紙等の支持体を貼着し取り付けておき、このシート材を二つ折りにして、折り曲げた他の三辺をシート材料どうしを接着し封じながら中にコーヒー粉を充填して製造して行く製袋方式のドリップ抽出バッグがあった（特願２００１−５５６１４３）や（特開２００２−２３８７６７）及び（実開平７−２２８）などであり、基本的にこの方式では支持体より濾過袋側が大きく、二つ折りにして支持体より外に伸び出た濾過袋の三辺を封じて濾過袋を構成してドリップ抽出バッグの全体形を構成させ低コストになるのが特徴であった。【０００３】  これに比較して（実開昭５７−１４５３２２）や（特開２００４−７１１）では濾過袋より支持体側が大きく構成しており、この支持体に濾過袋を取り付けて行く支持体側を主とした製造形態であり、支持体を濾過袋より大きくできるためカップ上に濾過袋を強くしっかりと固定支持できる利点があったがその製造行程などにもより高コストになった。
（特願２００１−５５６１４３）
（特開２００２−２３８７６７）
（実開平７−２２３）
（実案登録第１４２５５４１号）
（特開２００４−７１１）
【発明の開示】
【発明が解決しようとする課題】
【０００４】  通水性濾過性を有するシート材料に、あらかじめ防水加工をした支持体を貼着しておき、このシート材を二つ折りにして、その三辺を閉じ濾過袋を形成してコーヒーバッグの全体形を構成する製袋方式の（特願２００１−５５６１４３）や（特開２００２−２３８７６７）及び（実開平７−２２３）のコーヒーバッグは低コストで生産できる点が利点となるが、濾過袋の全体形の範囲内に支持体が位置しているため、濾過袋の平面積より支持体側の平面積のほうが基本的に小さく小型の支持体となるため、カップ上に濾過袋を支える大きな支持力を構成するには適さず、大きな支持力を得ようとして支持体の面積を拡大すると濾過袋のサイズも大きくなり、カップ口径より濾過袋側が大きくなるとカップ上にセットして使用できなくなるため支持体の面積の拡大には限界があり、濾過袋形の形成保持や、カップ上に支える支持力、又お湯に濾過袋の下部が浸りドリップ性が低下するのを防ぐためカップ上に高く位置させるなどの作用を支持体が十分に構成できない課題があった。【０００５】  （実開平７−２２３）では、カップ口部をとらえる係止片を重点に構成した支持体でありカップの口部をとらえる係止片の力は強いが、濾過袋を高い位置で支える作用が小さく下部がお湯に浸る状態になるためドリップ性が低い課題が生じた。【０００６】  （特開２００２−２３８７６７）では、支持体により濾過袋をカップ上に支えるためにカップの口部をとらえる係止部やカップ上に支える支持部又、濾過袋形を形成する形成部などに必要な機能全搬を支持体で構成しているため各部の各機能に使用できる支持体の面積の配分量が少なくなり、カップの口部上に濾過袋を保持する作用が十分えられないなどの課題が生じていた。【０００７】  （特願２００１−５５６１４３）では、二つ折りにした側を上端に位置し、支持体の前面側と背面側をそれぞれ下方に長く伸ばして支持体の両端部を下方に折り曲げて（実案登録第１４２５５４１号）の様に下方向きのコの字型に形成してカップの口部にセットする方式としていたが、上方口を有する上面部の中央に左右に貫通した二つ折りにした折り目を有しているため、この折り目を伸ばし固定する必要が生じ、その折り目の両端部を下方に折り曲げこの折り目を伸ばし固定する方式をとっているが、セットの際にこの折り曲げる手数や、折り曲げた片を固定していないためこの片が元に戻るなど安定性にも課題があった。【０００８】  又、（特願２００１−５５６１４３）の、この課題を解決しようとして、二つ折りにした折り曲げ線の左右端部方向に支持体を長く伸ばして下方向きのコの字型に形成して、この支持体の左右側部を下方に折り曲げカップにセットする方式にする事で折り目部をセットと同時に伸ばし固定する事ができるが、この方式はカップ口径の大小に応じて、下方に折り曲げた支持体の左右側部の開き加減で対応するため、この左右側部に一定の長さを必要としているが、支持体の左右両側部を下方に折り曲げた長さが短いと大径カップの際にカップ口部をとらえる左右の両側部が大きく外側に開き角度が急になると、この左右両側部の先端に設けたカップの口部をとらえるための係止片は、中央に位置する係止片がカップの内側をとらえ左右両端��の係止片がカップの外側面をとらえて、この係止片はカップ口部の外壁側と内壁側から一定の力で加圧してはさみ固定しており、この固定力で左右両側部が下方に折り曲げた折り曲げ方向に、さらに折れ曲がる事を防ぎ支持体全体が構成した下方向きのコの字型の形状を保持する作用を構成しており、この両側部の長さが短く十分でないとカップ口径が大きい場合に両側部の開き角度が急になりカップの外壁面をとらえる係止片がカップ外壁面をとらえきれず、カップ口部の外方向に伸びて浮いた状態になり係止片はカップ口部の内壁側と外壁側からはさみ固定する事ができなく固定力が生じなくなるため、支持体の左右側部を下方に折り曲げた左右側部の長さは、カップ口部までの一定の長さと、カップ口部を内側と外側からはさむ係止片分の長さも必要であり、この製袋方式ではカップ口径の範囲内での濾過袋の大きさで支持体がとれる左右方向への最大巾となるため、この方向に支持体を長く伸ばし左右両側部を下方に折り曲げコの字型を形成するには必要な支持体の左右巾を構成できなかった。【０００９】  （特願２００１−５５６１４３）及び（特開２００２−２３８７６７）や（実開平７−２２３）などの製袋方式に比較して、（実案登録第１４２５５４１号）や（特開２００４−７１１）は、製作工程も多く高コストになる課題を有していたが、濾過袋より外方向に大きく伸び出た支持体の構成であるため、カップの口部より高く濾過袋を位置させドリップ性を高めたり、カップ上に支持する支持力も強く構成でき（特開２００４−７１１）ではカップにセットする際も支持体で濾過袋を開いて固定した状態を構成できカップ上に置くだけでセットできる定置方式もとれるなどセットがし安いなどの利点を構成できるが定置式はカップ口径の大小に適応させるためカップの口部をとらえる支持体部に一定の巾を設けているためこの巾分がカップ上で前後左右に動き不安定な課題もあり又、（実案登録第１４２５５４１号）に於いては支持体の左右両端部を下方に折り曲げ、その先端部の係止片でカップ口部を内壁面と外壁面をとらえ、はさみ込む手数をセットする際に必要となる課題も有していた。
【課題を解決するための手段】
【００１０】  本発明では、通水性濾過性を有するシート材料に、あらかじめ厚紙等に防水加工をして構成した支持体を、シート材料の端部を周囲にのこして貼着し一体に取り付け、このシート材を二つ折りにして、この折り曲げ部を上に位置させたときに左右に位置する両辺と下辺の三辺でシート材料どうしの端部を一体にして閉じ濾過袋を構成している。【００１１】  この時、支持体は全体を二つ折りにして構成した濾過袋の折り曲げ部を介して前面側と背面側に渡たり位置しており、支持体はこの折り曲げ部の中央に上方口を設けており、濾過袋側はこの支持体に設けた上方口形にそってミシン目を入れ口部としている。【００１２】  濾過袋は、上方口を設けた折り曲げ部を上方に位置した時の左右方向の巾をカップ口径内に濾過袋の胴体部が入る大きさ内で大きくしており、これにより支持体の左右方向への巾を広げて支持体の左右巾を確保し、上方口から左右方向に伸びた支持体の左右それぞれの側を下方に折り曲げカップ口部をとらえ支える左右側壁辺を形成している又、前面側と背面側に位置して下方に伸びた支持体の二辺もそれぞれ下方に折り曲げてカップの口部をとらえ支える前面側と背面側に位置し設けた前後側壁辺であり、これにより設けた前後左右の四辺の支持側壁辺は、折り曲げ部の中央部に設けた上方口を、折り曲げ部を平たく伸ばして形成した時の上方口の周囲部を支持体が形成する上板部として、この上板部と前後左右の各側壁辺との間を側壁辺を下方に折り曲げる時の折り目としている、各側壁辺の折り目から下方に左右側方に伸びた二辺と前面側と背面側と四辺を折り下げる事で下方向きの箱形を支持体は形成しており、前後左右方向から濾過袋をカップ上に支えて安定させるものである。【００１３】  上板部を中心に左右側壁と前後側壁を下方に折り曲げて構成した四辺の側壁は、互いの左右側部どうしが連結した一体型であり、互いの側部間に折り込み部を設けて下方向きの箱形を形成しており、この場合は、左右側壁の側端部の側を折り込み構成しており、この折り込み部はカップ内に位置する内方向に折り曲げた内折り曲げ部と、カップの外側に位置する外方向に折り曲げた外折り曲げ部によって構成した折り曲げ部である。【００１４】  左右側壁と前後側壁の各四辺からなる支持辺は、先端部に於いて、それぞれ中央部を下方に伸び出たカップ内壁をとらえる支持凸部を有しており、さらに、この支持凸部の両側部にはカップ口部をとらえる係止凹部を設ておりカップ口部をとらえた支持辺を巾方向に安定させ又、この係止凹部は、支持辺がカップ口径の大小により外方向への開き角度が変化する時、カップ口部の上端をとらえる係止凹部の接点も移動するため、カップの口部をとらえる巾を広くして対応するため、広巾の係止凹部としており、さらに、この係止凹部の外側の端部にはカップ口部の上端をとらえた係止凹部がカップ口部からはずれる事を防ぐために、カップ口部の外側に位置し下方に伸び出た外ガードを設けてカップの外壁面をとらえられる様にしている。
【発明の効果】
【００１５】  通水性濾過性を有するシート材料に、あらかじめ厚紙等に防水加工をして構成した支持体を、シート材料の端部を周囲にのこし位置して貼着し一体に取り付け、このシート材料を二つ折りにして、この折り曲げ部を上に位置させた時に左右に位置する両辺と下辺の三辺でシート材料どうしの端部を一体にして閉じ濾過袋を構成する製袋方式でありシート材料の面積より小さい支持体で濾過袋をカップ上に高く位置させ支持してドリップ性を高めるため、支持体に設けた上方口の左右側壁と前後側の側壁を下方に折り曲げてカップ口部をとらえた時に各、支持辺の下端に設けたカップ口部をとらえる係止凹部を支持辺の先端部の両側部にそれぞれ設けて支持辺の巾方向に安定してカップの口部をとらえる支持辺としており、この左右に設けた支持辺がカップの口部をとらえ下方に折り曲げた折り曲げ方向にさらに折れ曲がる事を前後側の支持辺が支え、前後側の支持辺の折り曲げ方向への折れ曲がりは左右に設けた支持辺が支えるため、従来の支持辺の様に支持辺の下端に設けた係止片がカップの口部を外壁側と内壁側からはさみ込む弾力で支持辺を縦方向に支え固定する必要がなく、カップ口径の大小に対して短い支持辺でカップ口部をとらえ支持辺の開き角度が拡大しても四辺の支え合う支持辺であるため濾過袋をカップ上で前後左右に支えて安定する事ができる又、カップにセットした時に定置式の様にカップ口径の大小により前後左右に全体が動く事なく固定性の高いセットでありながら、カップ内に四辺の支持凸部を入れるだけでセットできる定置式に近い手軽なセット方式となる。【００１６】  支持体に設けた上方口の左右側方に伸び出て下方に折り曲げた左右の側壁辺と前後側壁辺の四辺の支持辺は、互いの側部どうしが連結した一体形であり、互いの支持辺の側部を折り込み下方向きの箱形を形成しているため左右、前後の各支持辺が側部どうしで支え合い、支持辺自体の折れ曲がりや変形に強くなり、又さらに折り込み部の折り曲げ部がさらに縦方向への変形に対する強度を高めている。【００１７】  左右側壁と前後側壁で構成した各、支持辺はカップ口径の大小に対して下方向への開き角度で対応しており、この角度の変化を折り込み部が、その折り込み加減により隣の支持辺との間隔を開き四辺の支持辺が一体でありながら各支持辺が自在に開き角度を変化してカップ口径の大小に対応できる。【００１８】  濾過袋をカップ上に支える左右側の支持辺と前後側の支持辺による四辺の支持辺はそれぞれ縦方向の長さが短く、カップ口径が大きい場合に支持辺の外方向への開き角度が大きくなるため、口径の小さなカップの場合の支持辺の下端に設けた支持凸部がカップ内壁をとらえた時の左右の係止凹部がカップ口部の上端に接する接地点は中央部に設けた支持凸部側であるが、大径カップでは支持辺の両側端側になり、接地点に巾が生じるため、係止凹部に大径カップの場合の接地点と小径カップの場合の接地点に適応させる広巾の係止凹部としているため、支持辺のカップ口径による開き角度の大小に対して係止凹部は常にカップ口部をとらえた状体を保てる。
【発明を実施するための最良の形態】
【００１９】  以下、本発明の実施の形態を図１〜図６に基づいて説明する、図１に示す様に、通水性濾過性を有するシート材料１に、防水加工をした厚紙等の部材により構成した支持体２を、シート材料１の周囲に端部をのこし位置させ上方口４の周囲に設けられた上板部１８部の貼着部２１と各支持辺の貼着部２０と貼着部１９で一体に貼着しており、この支持体２は中央部に左右に貫通した折り曲げ部３を設けており、この中央部に上方口４を設けている、この上方口４部の形状にシート材料１にはミシン目５を設けている。【００２０】  支持体２には上方口４の左右側方の側壁を下方に折り曲げ左右の支持辺６を設けるために上方口４の左右側部に折り目７を設けており、上方口４の上下側の側壁も折り曲げ上下側の支持辺８とするため折り目７を設けている、この支持辺６と支持辺８の四辺は、それぞれ折り曲げた方向の先端部には、カップ口部の内壁をとらえるための支持凸部９を中央部に設け、その左右両側部にはカップ口部の上端をとらえるための広巾の係止凹部１０を設けている、さらにその左右両側端部にはカップ口部の外壁面をとらえる外ガード１１を設け有している。【００２１】  これら左右二辺の支持辺６と上下二辺の支持辺８の四辺は互いの左右側部で連結した一体形であり、左右側の支持辺６と前後の支持辺８の互いの両端部を折り込み、下方向きの箱型を形成するために、支持辺の両側部どうしの中間に外折り曲げ部１２を設け、支持辺６側の側部に内折り曲げ部１３を設けて構成した折り込み部により、支持辺６側の両側部を折り込み支持辺間の折り込み部を構成し、支持体２による下方向きの箱形を形成している。【００２２】  図２に示す様に、支持体２の折り曲げ部３から下方に二つ折りにしてシート材料１の下端部１４部どうしを一体にして閉じ図３に示す様に、この下端部１４を内側に折り込み、折り込み底１６を設けており、左右の側端部１５どうしを一体にして閉じながら中にコーヒー粉を充填する。【００２３】  図４と図５に示す様に、上方口４部に設けたシート材料１のミシン目５部を切り取り濾過袋１７の口部２３を開放し支持体２の折り曲げ部３を伸ばし上板部１８を形成し、濾過袋１７を開いた袋状に形成すると、この時に濾過袋１７の前後側に位置する支持辺８は下端部の支持凸部９や外ガード１１などの下端側を除き支持辺８の内壁面と濾過袋１７の外壁の面とが図１に示す様に貼着部１９で一体に貼着されているため、図６に示す様に上方口４の側の折り目７から濾過袋１７の前後側に位置する支持辺８は下方に折れ曲がり位置し固定状態となり、支持辺６は上方口４側を底辺とする三角型の貼着部２０であるため濾過袋１７の外方向への開き角度は自在状態にあり、この左右の支持辺６の側部を前後の支持辺８の間に折り込み支持辺６を支持辺８の間にはさみ固定し位置させカップにセットする際に、この左右の支持辺６と支持辺８の下端に設けた支持凸部９をカップ内に位置させて四辺の支持辺を完全固定しセットすると、支持辺８側は濾過袋１７の袋形の変化の範囲での前後側への支持辺の開き巾で自在であり、これはカップ口径の大小の範囲での開き巾としており、支持辺８と支持辺６はカップ口径に合わせて開き角度が自在であり各、支持辺の係止��部１０がカップ口部をとらえ支持辺の巾方向に安定してとらえ、この四辺の支持辺で濾過袋１７をカップ２２上に前後左右から支え安定して保持する。【００２４】  図４に示す様に、小径カップでは左右の支持辺６と前後側の支持辺８の四支持辺は、カップにセットした時に、垂直状態であり、係止凹部１０は、中央部の支持凸部９側でカップ口部の上端部をとらえており、図５に示す大径カップの場合では、各四辺の支持辺は外方向に開いた状態となり、係止凹部１０は左右側端に設けた外ガード１１側でカップ口部の上端部をとらえている。【００２５】  濾過袋１７は、小径カップの時にカップ口径内に入る一杯の胴体部の大きさまで拡大して左右側壁を長く設けて左右の支持辺６を設けているため、この濾過袋１７の底部を平たく閉じた場合に袋の底部に左右の角部が生じ、この角部が袋の胴体部の口径巾より大きく外方向に出た形状になるため袋の底部に折り込み底部１６を設けて、濾過袋１７の底部形が胴体部と同じ口径巾になる様にしてカップ口径内に位置する様にしている。【００２６】  図４と図５に示す様に、四辺の支持辺を下方に折り曲げカップにセットした時に、左右の支持辺６から上板部１８にかけて渡り伸びた、折り曲げ部３を、折り目７から支持辺６を折り曲げたことで、折り曲げ部３の折り目が伸びた状態を構成し、さらに支持辺６の支持凸部９と係止凹部１０がカップの口部をとらえる事で、これを固定する。【００２７】  支持辺６と支持辺８が全体に短い支持辺であっても、支持辺の下端部で左右両端側にそれぞれカップの口部をとらえる係止凹部１０を有しているため支持辺の巾方向に安定した支持辺であり、この支持辺６と支持辺８の四辺で四方向から濾過袋１７をカップ上に支えているため前後左右に安定させながら、濾過袋１７をカップ口部上に支える事ができる。
【図面の簡単な説明】
【００２８】
【図１】  本発明の展開図
【図２】  本発明の二つ折り状態を示す正面図
【図３】  本発明の正面図で斜視図
【図４】  本発明の使用状態の斜視図
【図５】  本発明の使用状態の斜視図
【図６】  本発明の濾過袋１７の袋形を形成した状態の斜視図
【００２９】１．シート材料
２．支持体
３．折り曲げ部
４．上方口
５．ミシン目
６．支持辺
７．折り目
８．支持辺
９．支持凸部
１０．係止凹部
１１．外ガード
１２．外折り曲げ部
１３．内折り曲げ部
１４．下端部
１５．側端部
１６．折り込み底部
１７．濾過袋
１８．上板部
１９．貼着部
２０．貼着部
２１．貼着部
２２．カップ
２３．口部
【図１】
2009028490.tif 000003
【図２】
2009028490.tif 000004
【図３】
2009028490.tif 000005
【図４】
2009028490.tif 000006
【図５】
2009028490.tif 000007
【図６】
2009028490.tif 000008